(57)【要約】【課題】振動音の発生を防止することができると共に、構成部品の点数が少なく、その結果、小形で軽量であり、配置上の自由度が大きく、組立てが容易な継電装置を提供することを目的とする。【解決手段】継電装置１０のスプールケース１２は、略円筒形状のケース本体１６と、その上面開口を覆うカバー１８を有する。カバー１８と一体に成形されたばね性をもつ抑え板２２は、スプールケース１２内に向かって傾斜しつつ、スプール軸２８の半径方向に延びる。この抑え板２２は、そのばね性により、突条３８を介して、上側収容部３６内にて巻回されている配線体１４の最外側部分の上縁部を適度な押圧力で押圧する。このため、継電装置１０が振動する場合でも、上側収容部３６内での配線体１４の振動は抑止され、配線体１４のカバー１８の天井面への衝突に起因する振動音の発生が防止される。【選択図】      図３
2004166409.tif 000002
【特許請求の範囲】
【請求項１】
開口面を有するケース本体と、前記ケース本体の開口面を覆うカバーと、前記ケース本体の周壁に形成された引出し口とを有するスプールケースと、
前記スプールケース内に設けられたスプール軸と、
前記スプールケース内にて前記スプール軸の周囲に巻回された巻回部を有し、一端が前記引出し口から外部に延出する可撓性をもつ帯状の配線体と、
前記カバーと一体に成形され、前記スプールケース内に向かって傾斜しつつ前記スプール軸の半径方向に延びるばね性をもつ抑え板と
を具備し、
前記抑え板は、前記スプールケース内にて巻回された前記配線体の縁部の摺動を許容しつつ、前記縁部を押圧する
ことを特徴とする継電装置。
【請求項２】
前記抑え板は、前記ケース本体の底面側の面上に形成され、前記抑え板の長手方向に延びる突条を有している、請求項１に記載の継電装置。
【請求項３】
前記配線体は、絶縁材により被覆された導線列からなり、前記スプールケース内に巻回状態で収容されたときにばね性を発揮する、請求項１又は２に記載の継電装置。
【発明の詳細な説明】
【０００１】
【発明の属する技術分野】
本発明は、継電装置に関する。
【０００２】
【従来の技術】
継電装置は、例えば、自動車の車体側とラゲージドアとの間を電気的に接続するワイヤハーネスのハーネススプールとして使用される。ハーネススプールは、そのスプールケース内にワイヤハーネスの一部を巻回して収容し、ワイヤハーネスの一端は、スプールケースの外周面に露出した状態で固定され、その他端はスプールケースから外部へ延出されている。そして、ハーネススプールは車体側に設置され、そこから外部へ延出したワイヤハーネスの一端が車体側の電気機器に接続され、他端がラゲージドア側の電気機器に接続されることにより、ドア開閉の際の車体側とラゲージドア側との電気的接続を確保している。
【０００３】
しかし、例えば、自動車の走行に伴ってハーネススプールが振動すると、ワイヤハーネスもその巻回軸に垂直な方向に振動し、ハーネススプールの内壁面に衝突して、いわゆる叩き音又は踊り音と呼ばれる振動音が発生する。
このような振動音の発生を防止する対策としては、幾つかの提案が既になされている。例えば、実開昭６３−１４１０５７号公報では、同心円状に且つ相対的に回転可能に組み合わされステータとロールとから形成されるリング状の室内に渦巻状に収容されたフラットケーブルの振動を抑制するため、前記室内に振動抑制板が収容され、この振動抑制板を渦巻状のフラットケーブルの端面側に付勢するばね片がステータ及びロールの何れかに一体成形で設けられているブラシレス伝送装置が提案されている。
【０００４】
また、特開平１１−６７４０１号公報では、固定体と回転自在な可動体とから形成される円環状のケーブル収容室内に渦巻状に収容されたフラットケーブルの摺動音及び振動音を低減するため、フラットケーブルの自重方向の端部が摺動するケーブル収容室の摺動面に発泡材からなる吸音板が配置されているケーブルリールが提案されている。
【０００５】
また、特開平１１−３２９６５１号公報では、互いに相対回転自在に組み合わされた固定ケースと回転ケースとから形成される環状の空間に渦巻状に収容された帯状伝送線の振動を抑制するため、帯状伝送線を押圧するリング状の制振板が配置され、更にこの制振板による押圧力を調整するためのばね部が制振板の周方向に沿って複数箇所に設けられている回転コネクタが提案されている。
【０００６】
【特許文献１】
実開昭６３−１４１０５７号公報
【特許文献２】
特開平１１−６７４０１号公報
【特許文献３】
特開平１１−３２９６５１号公報
【０００７】
【発明が解決しようとする課題】
特許文献１では、ばね片はステータ又はロールに一体成形されているものの、振動抑制板は、ステータやロールの成型体とは別部品となっている。また、特許文献２では、吸音板が、固定体や可動体の成型体とは別部品となっている。また、特許文献３では、制振板及びばね部が、固定ケースや回転ケースの成型体とは別部品となっている。
【０００８】
このため、特許文献１〜３に係る提案を継電装置に適用する際には、構成部品の点数が多くなる。その結果、継電装置のサイズが大きくなり、重量も重くなり、延いては、継電装置の配置上の自由度が制約されるという問題があった。更に、継電装置の組立も困難になるという問題もあった。
本発明は上記事情を考慮してなされたものであり、振動音の発生を防止すると共に、構成部品の点数が少なく、その結果、小形で軽量であり、配置上の自由度が大きく、組立てが容易な継電装置を提供することを目的とする。
【０００９】
【課題を解決するための手段】
上記した目的を達成するために、本発明においては、開口面を有するケース本体と、前記ケース本体の開口面を覆うカバーと、前記ケース本体の周壁に形成された引出し口とを有するスプールケースと、前記スプールケース内に設けられたスプール軸と、前記スプールケース内にて前記スプール軸の周囲に巻回された巻回部を有し、一端が前記引出し口から外部に延出する可撓性をもつ帯状の配線体と、前記カバーと一体に成形され、前記カバーの所定の位置から前記スプールケース内に向かって傾斜しつつ前記スプール軸の半径方向に延びるばね性をもつ抑え板とを具備し、前記抑え板は、前記スプールケース内にて巻回された前記配線体の縁部の摺動を許容しつつ、前記縁部を押圧することを特徴とする継電装置が提供される。
【００１０】
ここで、前記抑え板は、前記仕切り板側の面上に形成され、前記抑え板の長手方向に延びる突条を有していることが好適である。
また、前記配線体は、絶縁材により被覆された導線列からなり、前記スプールケース内に巻回状態で収容されたときにばね性を発揮することが好適である。
【００１１】
【発明の実施の形態】
先ず、本発明の一実施の形態に係る継電装置の概略を、図１〜図５を参照しつつ説明する。
図１に示されるように、継電装置１０は、スプールケース１２を具備している。このスプールケース１２は、上面が開口し、帯状の配線体１４を巻回状態で収容する略円筒形状のケース本体１６と、ケース本体１６の開口上面を覆うカバー１８と、ケース本体１６の周壁に形成された引出し口２０とを有する。この引出し口２０は、配線体１４を外部に引き出し又は外部から巻き戻すための出入口である。また、カバー１８の４箇所には、カバー１８と一体に成形されたばね性をもつ抑え板２２が設けられている。
【００１２】
ここで、配線体１４は、テープ状のフラット配線材２４が複数積層されて貼り合されたもの又は単に複数積層されたものであり、このフラット配線材２４は、平行に配列された扁平な電気導線からなる導線列が可撓性の絶縁材により被覆されたものである。ここで、絶縁材としては、例えばポリエチレンテレフタレート、ポリエチレンナフタレート、ポリイミド、ポリカーボネート、ポリフェニレンサルファイド等が用いられ、貼合せ用の接着剤としては、例えばポリエステル系、ナイロン系、アクリル系、ウレタン系、エラストマー系等が用いられる。このため、フラット配線材２４、延いては配線体１４は、可撓性を有し、少なくとも１ターン巻回することでばね性を発揮して復元力が付与されると共に、折れ曲がり難いという特長をもっている。
【００１３】
尚、配線体１４は、電気導体を有しない扁平な絶縁材が複数層のフラット配線材２４中にダミー層として配置されていてもよい。このダミー層の配置は、配線体１４の復元力を強化するためである。従って、ダミー層には、導線列を被覆する絶縁材と同一の材料を用いてもよいし、復元力を強化する観点から別の材料を選択してもよい。また、フラット配線材２４は、導線列の他に光ファイバを含んでいてもよい。また、フラット配線材２４は、導線列上に直接押出し法を用いて絶縁材を被覆することにより作製することも可能である。
【００１４】
次に、継電装置１０の内部構造を、図２〜図４を用いて説明する。尚、図２では、内部構造を明瞭に示すため、カバー１８を透明体として描いている。
図２及び図３に示されるように、ケース本体１６は、その周壁に配線体１４の一端を固定する固定口２６を有する。そして、ケース本体１６内の略中心部には、その底面から中空円柱形状のスプール軸２８が立設されている。
【００１５】
但し、このスプール軸２８の立設位置は、ケース本体１６の中心から引出し口２０側に僅かに偏心している。もし、スプール軸２８がケース本体１６の中心に立設されていると、引出し口２０から外部に引き出された配線体１４がスプールケース１２内に巻き戻される際、配線体１４がケース本体１６の周壁に全面的に接触して大きな摩擦を生じ、配線体１４の円滑な巻戻し動作が阻害されたり、配線体１４が折れ曲がったりする危険性が高い。これに対し、スプール軸２８の立設位置が引出し口２０側に偏心していると、巻き戻される配線体１４がケース本体１６の周壁の一部にしか接触せず、摩擦抵抗が低減される。
【００１６】
スプール軸２８の外側には、例えば２枚の仕切り板３０，３２がスプール軸２８と一体に成形されている。これら仕切り板３０，３２は、スプール軸２８からその半径方向にケース本体１６の内壁面まで延び、ケース本体１６をスプール軸２８の軸方向に区分する。即ち、ケース本体１６内は、仕切り板３０，３２を基準にして、ケース本体１６の底面側の第１の収容部（以下、「下側収容部」という）３４と、カバー１８側の第２の収容部（以下、「上側収容部」という）３６との２段に区分されている。
【００１７】
そして、配線体１４は、前述した固定口２６から延び、下側収容部３４内のスプール軸２８の周囲に１．５ターン巻回された後、下側収容部３４から上側収容部３６に移行されて、上側収容部３６内のスプール軸２８の周囲に１．５ターン巻回され、更に引出し口２０からスプールケース１２の外部に延出されている。即ち、配線体１４は、合計３ターン巻回された状態でスプールケース１２内に収容されている。
【００１８】
このため、配線体１４が外部に引き出される際、上側収容部３６内に巻回された配線体１４が急に大きな引張力を受けても、そのような急激な力の変化は、下側収容部３４内に巻回されている配線体１４により吸収される。この下側収容部３４内の配線体１４による緩衝機能は、配線体１４が外部から急に巻き戻される際にも、どうように発揮される。従って、固定口２６に固定されている配線体１４の端部やそこに設けられている固定コネクタにかかる負荷が低減される。
【００１９】
尚、配線体１４のターン数は、上記の場合に限定されるものではなく、スプールケース１２から外部に引き出す配線体１４の長さ等に応じて決定することが可能である。但し、配線体１４に十分な復元力を発揮させるためには、下側及び上側収容部３４，３６内のスプール軸２８の周囲にそれぞれ配線体１４を１．５ターン以上巻回し、スプールケース１２内にて合計３ターン以上巻回することが望ましい。
【００２０】
図３及び図４に示されるように、カバー１８の抑え板２２は、スプールケース１２内に向かって傾斜しつつ、スプール軸２８の半径方向に延びている。この抑え板２２の下面には、突条３８が長手方向に形成されている。そして、この抑え板２２は、そのばね性により、突条３８を介して、上側収容部３６内にて巻回されている配線体１４の最外側部分の上縁部を適度な押圧力で押圧する。
【００２１】
ここで、突条３８は、その厚みが先端部からカバー１８側に向かって連続的に厚くなっている。このため、突条３８は、配線体１４の上縁部に略水平に摺接する。また、「適度な押圧力で押圧する」とは、配線体１４の上縁部が抑え板２２の突条３８に対して摺動することを許容する程度の押圧力で押圧することを意味する。このため、抑え板２２は、配線体１４の引出し又は巻戻しの動作を阻害することなく、同時に、例えば自動車に装着された継電装置１０が自動車の走行に伴って振動する場合における上側収容部３６内での配線体１４の振動を抑止する。その結果、配線体１４がカバー１８の天井面に衝突することに起因する振動音の発生が防止される。
【００２２】
尚、図示は省略するが、配線体１４の固定口２６に固定されている一端には、例えば自動車の車体側の電気回路に接続させるための固定コネクタが設けられ、引出し口２０から外部に延出している他端には、例えばラゲージドアの電気回路に接続させるための可動コネクタが設けられている。
次に、スプールケース１２の各構成要素を、図５〜図７を参照しつつ具体的に説明する。
【００２３】
図５に示されるように、ケース本体１６は、平坦な底面４０と、周壁４２とを有している。周壁４２の外側には、カバー１８を安定的に固定するための複数個の係止突起４４が形成されている。また、スプールケース１２の引出し口２０に対応するケース本体１６の領域は、引出し部４６となっている。
また、底面４０には、円筒状の軸受け部４８が形成されている。この軸受け部４８には、スプール軸２８の下端部が嵌挿される。また、底面４０には、例えば６本の突条５０が形成されている。これら突条５０は、軸受け部４６の外周から放射状に周壁４２まで延びており、下側収容部３４内に収容された配線体１４の下縁部と底面４０との接触を防止する。但し、突条５０の個数や形状は、種々の変形が可能である。
【００２４】
また、底面４０には、例えば１個のリブ状部材５２が形成されている。配線体１４が下側収容部３４内にて１ターン以上巻回されると、スプール軸２８の半径方向に重なる部分が生じるが、この重なり合った配線体１４の間にリブ状部材５２が位置する。このため、リブ状部材５２は、重なり合った配線体１４を離間し、配線体１４のフラット面同士の接触を防止する。但し、リブ状部材５２の個数や形状も、種々の変形が可能である。
【００２５】
図６に示されるように、カバー１８は、既に説明した抑え板２２を有している。また、その外縁部には、ケース本体１６の係止突起４４に対応して、リング状の係止片５４が形成されている。これら係止突起４４及び係止片５４により、ケース本体１６とカバー１８との接合が固定される。また、スプールケース１２の引出し口２０に対応するカバー１８の領域は、引出し部５６となっている。即ち、ケース本体１６とカバー１８とが接合された際、ケース本体１６の引出し部４６とカバー１８の引出し部５６とにより、引出し口２０が形成される。
【００２６】
また、カバー１８の天井面側には、底面４０の軸受け部４８に対応して、円筒状の軸受け部５８が形成されている。この軸受け部５８には、スプール軸２８の上端部が嵌挿される。また、軸受け部５８の周囲には、例えば４個の突起６０が配置されている。
また、引出し部５６の近傍には、棒状ガイド６２が形成されている。この棒状ガイド６２には、上側収容部３６内から引出し口２０を通って外部に延出する配線体１４の上縁部が接触する。このため、配線体１４の引出し又は巻戻しが行われる際に、仕切り板３０から引出し口２０に到る経路にて、配線体１４はその上縁部が棒状ガイド６２に接触するだけで、例えばケース本体１６の底面４０及び周壁４２並びにカバー１８の天井面に接触することはない。
【００２７】
図７に示されるように、スプール軸２８は、その軸方向の中央部に中央ガイド筒６４を有している。この中央ガイド筒６４には、配線体１４が巻回される。また、中央ガイド筒６４の下端部６６及び上端部６８には、それぞれ複数の凹部７０，７２が形成されている。これら凹部７０，７２は、中央ガイド筒６４の下端部６６及び上端部６８がケース本体１６及びカバー１８の軸受け部４８，５８にそれぞれ嵌挿される際に、ケース本体１６の突条５０及びカバー１８の突起６０にそれぞれ嵌合される。
【００２８】
また、スプール軸２８には、２枚の仕切り板３０，３２がスプール軸２８に一体に成形されている。これら仕切り板３０，３２は、中央ガイド筒６４の軸方向の略中央から軸方向と垂直な半径方向に延びている。一方の仕切り板３０は、一定幅をもって周壁４２まで延び、そこで折れ曲がって先端が底面４０に当接している。他方の仕切り板３２は、扇状に周壁４２まで延びている。
【００２９】
また、仕切り板３０，３２は、配線体１４の巻回方向に所定の間隔をおいて配置されている。この間隔により、配線体１４がスプールケース１２内にてスプール軸２８の周囲に巻回される際に、下側収容部３４から上側収容部３６に移行するための空間が確保される。
また、仕切り板３０，３２の下側収容部３４側の裏面と上側収容部３６側の表面、即ち、仕切り板３０，３２の裏表の両面には、突条７４，７６がそれぞれ形成されている。これら突条７４，７６は、下側収容部３４内に収容された配線体１４の上縁部と仕切り板３０，３２との接触及び上側収容部３６内に収容された配線体１４の下縁部と仕切り板３０，３２との接触をそれぞれ防止する。
【００３０】
尚、ケース本体１６、カバー１８、スプール軸２８及び仕切り板３０，３２のポリブチレンテレフタレート）等を材料としては、例えばポリプロピレン、ナイロン、ＰＢＴ（ポリブチレンテレフタレート）等を用いることが可能であるが、これらの材料に限定されるものではない。
次に、継電装置１０を組み立てる手順について説明する。
【００３１】
先ず、ケース本体１６において、配線体１４の一端を折り曲げ、その折り曲げ部を固定口２６に固定する。そして、配線体１４の他端側をケース本体１６の底面４０に沿って軸受け部４８の周囲に１．５ターン巻回する。このとき、配線体１４の下縁部は、突条５０に接触し、底面４０に直接に接触することはない。また、１ターン目は、リブ状部材５２より外側に巻回し、次のターンは、リブ状部材５２の内側に巻回する。即ち、１．５ターン巻回した配線体１４が重なる部分は、その間にリブ状部材５２を介在させ、配線体１４同士が接触しないようにする。
【００３２】
続いて、２枚の仕切り板３０，３２を備えたスプール軸２８をケース本体１６に装着する。具体的には、ケース本体１６の軸受け部４８に、スプール軸２８の下端部６６を嵌挿すると共に、突条５０と凹部７０とを嵌合させる。このとき、スプール軸２８は配線体１４の巻回部内に位置付けられる。このため、配線体１４は、スプール軸２８の中央ガイド筒６４の周囲に１．５ターン巻回された状態となる。
【００３３】
続いて、配線体１４の他端側を仕切り板３０，３２の下方から上方に移行させ、更に中央ガイド筒６４の周囲に１．５ターン巻回した後、ケース本体１６の引出し部４６から外部に延出させる。このとき、配線体１４の下縁部は、突条７４に接触し、仕切り板３０，３２の表面に直接に接触することはない。
続いて、カバー１８をケース本体１６に装着する。具体的には、カバー１８をケース本体１６の開口上面に冠着し、軸受け部５８にスプール軸２８の上端部６８を嵌挿させると共に、突起６０と凹部７２とを嵌合させる。このとき、ケース本体１６内は、仕切り板３０，３２を基準にして下側収容部３４と上側収容部３６との２段に区分される。また、引出し部４６、５３が接合され、引出し口２０が形成される。更に、上側収容部３６内にて巻回された配線体１４の最外側部分の上縁部が、抑え板２２の突条３８により適度の押圧力で押圧される。
【００３４】
その後、カバー１８の係止片５４をケース本体１６の係止突起４４に係止させ、ケース本体１６へのカバー１８の冠着状態を安定的に固定し、スプールケース１２を形成する。こうして、図１〜図３に示されるようにスプールケース１２内に配線体１４が巻回状態で収容された継電装置１０が組み立てられる。
以上のように本実施形態に係る継電装置１０によれば、カバー１８に設けられた４枚のばね性をもつ抑え板２２が上側収容部３６内にて巻回されている配線体１４の最外側部分の上縁部を適度の押圧力で押圧しているため、継電装置１０が振動した場合における上側収容部３６内での配線体１４の振動は抑止される。従って、配線体１４がカバー１８の天井面に衝突することに起因する振動音の発生を防止できる。また、配線体１４が引き出され又は巻き戻される際にも、上側収容部３６内の配線体１４の縁部は抑え板２２の突条３８に略水平に摺接して移動し、カバー１８の天井面に直接に摺動することはない。従って、配線体１４の摺動音を低減することができる。しかも、抑え板２２はカバー１８と一体に成形され、振動抑制板などの別部品を必要としないため、構成部品の点数の増加を抑制することが可能になる。従って、継電装置の小形化、軽量化を実現し、延いては、継電装置の配置上の自由度を向上することが可能になる。更に、継電装置の組立も容易になる。
【００３５】
また、配線体１４として、復元力の強いテープ状のフラット配線材２４が複数積層されて貼り合されたもの又は単に複数積層されたものが使用されるため、スプールケース１２から引き出された配線体１４は、引張力が解放されると、それ自体のもつ復元力によってケース本体１６内に巻き戻され、元の状態に復帰する。従って、従来の継電装置のようにワイヤハーネスを巻き戻すための巻取ばねが不要になり、構成部品の点数が少なくなくなる分だけ継電装置１０を小形化し、軽量化することができる。その結果、継電装置１０の配置上の自由度を増大させることができる。また、巻取ばねを組み込む必要がなくなるため、継電装置１０の組立てを容易に行うことができる。
【００３６】
また、スプールケース１２内の２段に区分された下側及び上側収容部３４，３６のそれぞれに配線体１４が巻回されているため、スプールケース内が２段に区分されていない従来の場合と同じターン数を上下各段に巻回すると、スプールケース１２内に収容できる配線体１４の長さが従来の２倍になる。従って、継電装置１０からの配線体１４の引出し長さを大幅に長くすることができる。
【００３７】
また、スプールケース１２内に巻回されている配線体１４を上記の従来の場合と同じ長さにすると、下側及び上側収容部３４，３６内のそれぞれにて巻回するターン数が大幅に減少し、配線体１４の巻回外径が小さくなり、スプールケース１２、延いては継電装置１０を小形化できる。しかも、この場合、配線体１４が引き出された状態における上側収容部３６内での巻回外径が上記した従来の場合の巻回外径よりも縮小するため、配線体１４の反発力がより大きくなり、巻戻し力をより大きくできるというメリットも生じる。
【００３８】
また、上側収容部３６内の配線体１４が引き出され又は巻き戻される際に急激な力の変化を受けても、下側収容部３４内の配線体１４がその力の変化を吸収する緩衝機能を果たすため、固定口２６に固定されている配線体１４の一端部やそこに設けられている固定コネクタにかかる負荷を低減できる。
また、下側及び上側収容部３４，３６の間には、仕切り板３０，３２が介在しているため、上下２段に巻回された配線体１４の縁部が互いに接触することはない。しかも、仕切り板３０，３２の両面には、突条７４，７６がそれぞれ形成され、抑え板２２の下面及びケース本体１６の底面４０にも、突条３８、５０がそれぞれ形成されているため、仕切り板３０，３２、抑え板２２、又は底面４０と配線体１４の縁部との直接的な接触も防止される。従って、配線体１４の引出し又は巻戻しの動作が阻害されたり、配線体１４の縁部が磨耗されたりすることを防止できる。
【００３９】
また、リブ状部材５２により、下側収容部３４内にて１ターン以上に巻回され、スプール軸２８の半径方向に重なる配線体１４が離間されるため、配線体１４のフラット面同士の接触が防止される。従って、配線体１４の引出し又は巻戻しの動作を行う際の摩擦抵抗が低減され、非常に円滑に動作を実現できる。また、配線体１４をケース本体１６内にて容易に巻回することが可能になり、継電装置１０の組立ての際の作業性を向上できる。
【００４０】
また、引出し口２０の近傍に棒状ガイド６２が形成されているため、仕切り板３０から引出し口２０に到る経路において、配線体１４はその上縁部を棒状ガイド６２に接触させるだけで、引出し又は巻戻しの動作が可能になる。従って、配線体１４は、摩擦抵抗が低減され、非常に円滑に動作できる。
また、配線体１４が外部に引き出される際、特に上側収容部３６内に収容された配線体１４の巻径が縮小するが、この巻径の縮小は中央ガイド筒６４の径によりその下限が規定されているため、配線体１４が折れ曲がることを防止できる。
【００４１】
また、スプール軸２８がスプールケース１２の中心から引出し口２０側に僅かに偏心しているため、外部に引き出された配線体１４が復元力によって巻き戻される際、配線体１４はケース本体１６の周壁の一部にしか接触しない。従って、配線体１４の摩擦抵抗が低減され、その結果、配線体１４の巻戻しが阻害されたり、配線体１４が折れ曲がったりすることのない円滑な動作を実現できる。
【００４２】
尚、上記の実施形態において、配線体１４は、その上縁部を棒状ガイド６２に接触させて外部に延出しているが、例えば、仕切り板３０から引出し口２０に到る経路にて配線体１４を９０°捻り、配線体１４の平坦面を棒状ガイド６２に接触させて外部に延出することも可能である。これにより、引出し口２０から外部に延出する配線体１４の向きを９０°変更し、カバー１８に垂直な上方に引き出すことが可能になる。
【００４３】
この場合、図５に示されるように、引出し部５６は、配線体１４の延出方向に沿って湾曲面をなすことが好ましい。そして、この際でも、配線体１４は、その上縁部の代わりにフラット面が棒状ガイド６２に接触するだけなので、配線体１４の摩擦抵抗が抑制され、何らの不具合も発生しない。
また、スプールケース１２は、固定口２６及び引出し口２０の代わりに、配線体１４の両端を外部に引き出すための２つの引出し口を有していてもよい。この場合には、２つの引出し口から延出する配線体１４の一端に、例えば自動車の車体側の電気回路に接続させるための固定コネクタが設けられ、他端に、例えばラゲージドアの電気回路に接続させるための可動コネクタが設けられる。
【００４４】
また、配線体１４は、１本のフラット配線材２４から構成されてもよい。この場合でも、第１及び第２のケース本体１６ａ，３６内の各スプール軸２８の中央ガイド筒６４の周囲にそれぞれ１．５ターン以上巻回し、ケース本体１６内に合計３ターン以上巻回すれば、配線体１４は巻戻しに必要な復元力を発揮することが可能である。
【００４５】
【発明の効果】
以上詳細に説明したように、本発明によれば、ばね性をもつ抑え板が、カバーからスプールケース内に向かって傾斜しつつスプール軸の半径方向に延び、スプールケース内にて巻回された配線体の縁部を押圧しているため、継電装置が振動しても、スプールケース内の配線体が振動してカバーの天井面に衝突することを阻止し、振動音の発生を防止することができる。このとき、抑え板は、配線体の縁部の摺動を許容しているので、スプールケース内の配線体が引き出され又は巻き戻される際、抑え板が大きな抵抗となることはない。しかも、配線体がカバーの天井面に直接に摺動することもなくなり、配線体の摺動音を低減することができる。
【００４６】
更に、抑え板がカバーと一体に成形されているため、構成部品の点数が少なくなり、その結果、小形で軽量であり、配置上の自由度が大きく、組立てが容易な継電装置を実現することができる。
【図面の簡単な説明】
【図１】本発明の一実施形態に係る継電装置の外観を示す斜視図である。
【図２】図１の継電装置の内部構造を示す斜視図である。
【図３】図２の継電装置のＡ−Ａ線断面図である。
【図４】図３の継電装置のカバーに設けられた抑え板を拡大して示す斜視図である。
【図５】図１の継電装置のケース本体を示す斜視図である。
【図６】図１の継電装置のカバーを示す斜視図である。
【図７】図１の継電装置のスプール軸及び仕切り板を示す斜視図である。
【符号の説明】
１０      継電装置
１２      スプールケース
１４      配線体
１６      ケース本体
１８      カバー
２０      引出し口
２２      抑え板
２４      フラット配線材
２６      固定口
２８      スプール軸
３０，３２      仕切り板
３４    下側収容部（第１の収容部）
３６    上側収容部（第２の収容部）
３８      突条
４０      底面
４２      周壁
４４      係止突起
４６      引出し部
４８      軸受け部
５０      突条
５２      リブ状部材
５４      リング状の係止片
５６      引出し部
５８      軸受け部
６０      突起
６２      棒状ガイド
６４      スプール軸の中央ガイド筒
６６      スプール軸の下端部
６８      スプール軸の上端部
７０，７２      凹部
７４，７６      突起
【図１】
2004166409.tif 000003
【図２】
2004166409.tif 000004
【図３】
2004166409.tif 000005
【図４】
2004166409.tif 000006
【図５】
2004166409.tif 000007
【図６】
2004166409.tif 000008
【図７】
2004166409.tif 000009